(57)【特許請求の範囲】
【請求項１】
マイクロ波を照射し、被照射物を加熱するマイクロ波加熱装置と、
このマイクロ波加熱装置に設けられ、無線信号を送受信する第１の無線器と、
この第１の無線器または無線器同士で無線信号を送受信する複数の第２の無線器とを備えた無線通信システムにおいて、
前記マイクロ波加熱装置の加熱運転に、加熱動作時間および加熱停止時間を設け、加熱動作と停止を繰り返すとともに、加熱停止時間でも前記マイクロ波加熱装置によるマイクロ波の出力を前記第１の無線器および複数の第２の無線器が通信可能なレベルに可変して加熱動作を行い、
前記加熱停止時間に全無線器からのデータ数をカウントして、前回加熱停止時間に受信したデータ数に比べて減少しない場合は、次回加熱停止時間におけるマイクロ波の出力レベルを上げることを特徴とする無線通信システム。
【請求項２】
マイクロ波を照射し、被照射物を加熱するマイクロ波加熱装置と、
このマイクロ波加熱装置に設けられ、無線信号を送受信する第１の無線器と、
この第１の無線器または無線器同士で無線信号を送受信する複数の第２の無線器とを備えた無線通信システムにおいて、
前記マイクロ波加熱装置の加熱運転に、加熱動作時間および加熱停止時間を設け、加熱動作と停止を繰り返すとともに、加熱停止時間でも前記マイクロ波加熱装置によるマイクロ波の出力を前記第１の無線器および複数の第２の無線器が通信可能なレベルに可変して加熱動作を行い、
前記加熱停止時間に全無線器からのデータ数をカウントして、前回加熱停止時間に受信したデータ数より減少した場合は、１つの前の出力に戻し、加熱動作を行うことを特徴とする無線通信システム。
【請求項３】
マイクロ波を照射し、被照射物を加熱するマイクロ波加熱装置と、
このマイクロ波加熱装置に設けられ、無線信号を送受信する第１の無線器と、
この第１の無線器または無線器同士で無線信号を送受信する複数の第２の無線器とを備えた無線通信システムにおいて、
前記マイクロ波加熱装置の加熱運転に、加熱動作時間および加熱停止時間を設け、加熱動作と停止を繰り返すとともに、加熱停止時間でも前記マイクロ波加熱装置によるマイクロ波の出力を前記第１の無線器および複数の第２の無線器が通信可能なレベルに可変して加熱動作を行い、
前記加熱停止時間に全無線器からのデータ数をカウントして、カウントしたデータ数が０の場合は、次回加熱停止時間におけるマイクロ波の出力レベルを最大にすることを特徴とする無線通信システム。
【請求項４】
マイクロ波を照射し、被照射物を加熱するマイクロ波加熱装置と、
このマイクロ波加熱装置に設けられ、無線信号を送受信する第１の無線器と、
この第１の無線器または無線器同士で無線信号を送受信する複数の第２の無線器とを備えた無線通信システムにおいて、
前記マイクロ波加熱装置の加熱運転に、加熱動作時間および加熱停止時間を設け、加熱動作と停止を繰り返すとともに、加熱停止時間でも前記マイクロ波加熱装置によるマイクロ波の出力を前記第１の無線器および複数の第２の無線器が通信可能なレベルに可変して加熱動作を行い、
前記加熱停止時間に全無線器からのデータ数をカウントして、前回加熱停止時間に受信したデータ数に比べて減少しない場合は、次回加熱停止時間におけるマイクロ波の出力レベルを上げると共に、前回加熱停止時間に受信したデータ数より減少した場合は、１つの前の出力に戻し、加熱動作を行うことを特徴とする無線通信システム。
【発明の詳細な説明】
【０００１】
【発明の属する技術分野】
この発明は、マイクロ波加熱装置に設けられた無線器および他の機器に設けられた無線器で通信を行う無線通信システムに関するものである。
【０００２】
【従来の技術】
図８は従来の無線通信システムにおけるマイクロ波加熱装置、各無線器の間の通信方式を示す図であり、無線通信規格BLUETOOTH  SPECIFICATION  Version1.0Bに基づくものである。図において、紙面の上から下への方向は時間経過、横方向は周波数帯域をそれぞれ示す。Ｎはマイクロ波加熱装置（図示せず）を動作させた場合に生じるマイクロ波のノイズ、ｆは無線器間の通信に用いられる周波数である。
【０００３】
次に動作について説明する。
マイクロ波加熱装置からのマイクロ波のノイズ分布を図８（ａ）に示す。
まず、通信周波数を図８（ｂ）のｆ（ｋ＋ｎ）とし、受信側の周波数も送信側の周波数に同期して変化させ、無線器間の通信を試みる。しかしながら、通信周波数がｆ（ｋ＋ｎ）では、信号レベルよりもノイズレベルの方が大きいため、通信不可となる。そこで、６２５ｕｓ経過後に、図８（ｃ）に示すように通信周波数をｆ（ｋ＋ｎ＋１）にずらし、無線器間の通信を試みる。
【０００４】
しかしながら、通信周波数がｆ（ｋ＋ｎ＋１）でも、信号レベルよりもノイズレベルの方が大きいため、通信不可となる。そこで、６２５ｕｓ経過毎に順次、通信周波数がｆをずらしていき、（６２５×ｍ）ｕｓ経過後に、図８（ｄ）に示すように信号レベルがノイズレベルよりも大きい通信周波数ｆ（ｋ＋ｎ＋ｍ）になると、無線器間の通信が可能となる。
【０００５】
以上のように、６２５ｕｓ単位で無線器から送信する通信周波数を時間的に変化させ、また受信側の周波数も送信側の周波数に同期して変化させることにより、マイクロ波加熱装置の加熱のときに発生するマイクロ波のノイズが一様に分布していない場合でも、６２５×ｍ時間経過後には通信することができる。なお、この通信方式は周波数ホッピング方式と呼ばれる。
【０００６】
【発明が解決しようとする課題】
上記のような従来の無線通信システムにおける周波数ホッピング方式によるノイズ回避の方法では、マイクロ波のノイズが通信に利用する周波数帯に一様に分布している場合は、通信周波数を時間的に変化させても通信することができず、具体的には、通信によって、マイクロ波加熱装置の動作を開始できても、開始後のマイクロ波ノイズの発生により、動作を停止できなくなったり、また、マイクロ波加熱装置の周囲に存在する無線器が、マイクロ波のノイズにより、互いに通信できなくなるという問題点があった。
【０００７】
また、通信周波数が通信できる周波数帯に移動するまで、通信エラーが連続して発生し、例えば図８の場合にはｍ回の通信エラーが発生してしまうという問題点があった。
【０００８】
この発明は、上記のような課題を解決するためになされたもので、マイクロ波のノイズが通信に利用する周波数帯に一様に分布している場合でも、通信周波数を時間的に変化させることなく通信することができ、また、マイクロ波のノイズが発生する場合でも、通信エラーを発生させない無線通信システムを得るものである。
【０００９】
【課題を解決するための手段】
この発明に関わる無線通信システムは、マイクロ波を照射し、被照射物を加熱するマイクロ波加熱装置と、このマイクロ波加熱装置に設けられ、無線信号を送受信する第１の無線器と、この第１の無線器または無線器同士で無線信号を送受信する複数の第２の無線器とを備え、マイクロ波加熱装置の加熱運転に、加熱動作時間および加熱停止時間を設け、加熱動作と停止を繰り返すとともに、加熱停止時間でもマイクロ波加熱装置によるマイクロ波の出力を第１の無線器および複数の第２の無線器が通信可能なレベルに可変して加熱動作を行い、加熱停止時間に全無線器からのデータ数をカウントして、加熱停止時間に受信したデータ数に比べて減少しない場合は、次回加熱停止時間におけるマイクロ波の出力レベルを上げるものである。
【００１０】
また、マイクロ波を照射し、被照射物を加熱するマイクロ波加熱装置と、このマイクロ波加熱装置に設けられ、無線信号を送受信する第１の無線器と、この第１の無線器または無線器同士で無線信号を送受信する複数の第２の無線器とを備えた無線通信システムにおいて、マイクロ波加熱装置の加熱運転に、加熱動作時間および加熱停止時間を設け、加熱動作と停止を繰り返すとともに、加熱停止時間でもマイクロ波加熱装置によるマイクロ波の出力を第１の無線器および複数の第２の無線器が通信可能なレベルに可変して加熱動作を行い、加熱停止時間に全無線器からのデータ数をカウントして、前回加熱停止時間に受信したデータ数より減少した場合は、１つの前の出力に戻し、加熱動作を行うものである。
【００１１】
また、マイクロ波を照射し、被照射物を加熱するマイクロ波加熱装置と、このマイクロ波加熱装置に設けられ、無線信号を送受信する第１の無線器と、この第１の無線器または無線器同士で無線信号を送受信する複数の第２の無線器とを備えた無線通信システムにおいて、マイクロ波加熱装置の加熱運転に、加熱動作時間および加熱停止時間を設け、加熱動作と停止を繰り返すとともに、加熱停止時間でもマイクロ波加熱装置によるマイクロ波の出力を第１の無線器および複数の第２の無線器が通信可能なレベルに可変して加熱動作を行い、加熱停止時間に全無線器からのデータ数をカウントして、カウントしたデータ数が０の場合は、次回加熱停止時間におけるマイクロ波の出力レベルを最大にするものである。
【００１２】
また、マイクロ波を照射し、被照射物を加熱するマイクロ波加熱装置と、このマイクロ波加熱装置に設けられ、無線信号を送受信する第１の無線器と、この第１の無線器または無線器同士で無線信号を送受信する複数の第２の無線器とを備えた無線通信システムにおいて、マイクロ波加熱装置の加熱運転に、加熱動作時間および加熱停止時間を設け、加熱動作と停止を繰り返すとともに、加熱停止時間でもマイクロ波加熱装置によるマイクロ波の出力を第１の無線器および複数の第２の無線器が通信可能なレベルに可変して加熱動作を行い、加熱停止時間に全無線器からのデータ数をカウントして、加熱停止時間に受信したデータ数に比べて減少しない場合は、次回加熱停止時間におけるマイクロ波の出力レベルを上げると共に、加熱停止時間に受信したデータ数より減少した場合は、１つの前の出力に戻し、加熱動作を行うものである。
【００１６】
【発明の実施の形態】
実施の形態１．
図１はこの発明の実施の形態１である無線通信システムの構成図、図２はこの無線通信システムにおける各機器の無線通信部のブロック図、図３はこの無線通信システムの動作を示す図である。
【００１７】
図において、１は例えば電子レンジ等のマイクロ波加熱装置であり、装置内の加熱室に食品を入れ、マグネトロンから生じるマイクロ波を食品へ照射し、食品を加熱調理する。２は空調機、３はマイクロ波加熱装置１および空調機２を各々遠隔から操作するリモコンであり、リモコン３はマイクロ波加熱装置１や空調機２との無線信号の送受信により、マイクロ波加熱装置１のＯＮ／ＯＦＦ、動作状態の確認、空調機２の温度設定、動作状態の確認などの各種指示・確認を行う。
【００１８】
マイクロ波加熱装置１、空調機２、リモコン３には、それぞれ無線器４、５、６が内蔵されている。無線器４は、無線通信ＬＳＩ７とアンテナ８を備え、マイクロ波加熱装置１の加熱制御などを行うマイクロプロセッサ９から送信されるデータを無線通信ＬＳＩ７、アンテナ８を通じて無線信号として出力する。また、アンテナ８を通じて受信した無線信号は、無線通信ＬＳＩ７を通じて、マイクロプロセッサ９にデータとして受信される。
【００１９】
無線器５は、無線通信ＬＳＩ１０とアンテナ１１を備え、空調機２の室内機制御などを行うマイクロプロセッサ１２から送信されるデータを無線通信ＬＳＩ１０、アンテナ１１を通じて無線信号として出力する。また、アンテナ１１を通じて受信した無線信号は、無線通信ＬＳＩ１０を通じて、マイクロプロセッサ１２にデータとして受信される。無線器６は、無線通信ＬＳＩ１３とアンテナ１４を備え、リモコン３の制御を行うマイクロプロセッサ１５から送信されるデータを無線通信ＬＳＩ１３、アンテナ１４を通じて無線信号として出力する。また、アンテナ１４を通じて受信した無線信号は、無線通信ＬＳＩ１３を通じて、マイクロプロセッサ１５にデータとして受信される。
なお、マイクロ波加熱装置１、空調機２、リモコン３の各種通信動作の制御は、それぞれマイクロプロセッサ９、１２、１５により行われる。
【００２０】
次に、動作について図３に基づいて説明する。
まず、マイクロ波加熱装置１はリモコン３から送信された「加熱開始指示Ｓ１」の信号を受信すると、「加熱開始Ｓ２」の信号をマイクロ波加熱装置１の無線器４を除く全無線器５、６に一斉同報し、その直後から加熱運転を開始する。（以下、加熱はマイクロ波による加熱を示す）。そして、加熱開始後５秒間経過すると、５秒間加熱を休止する。それ以降、マイクロ波加熱装置１は５秒間経過毎に加熱と休止を繰り返す。
【００２１】
一方、「加熱開始Ｓ２」の信号を受信した無線器５、６および無線器４は、自己の通信用のタイマをリセットし、５秒間はマイクロ波加熱装置１の加熱動作によって生じるマイクロ波のノイズにより、通信性能が劣化、または全く通信できなくなるため通信動作を停止する。そして、５秒間経過し、加熱動作が休止してから、各無線器４、５、６は各無線器毎にランダムな時間間隔（数ｍｓ程度）を空けてからデータ送受信を開始し、５秒間経過すると、加熱動作が再開されるため、全無線器４、５、６は通信動作を停止する。それ以降、加熱動作の停止と加熱動作の再開に対応して、データ送受信と停止を繰り返す。
【００２２】
また、マイクロ波加熱装置１の上記加熱停止時間は、加熱、停止を速いサイクルで繰り返すほど加熱性能の低下を少なくでき、通信の応答性能の低下を少なくすることができる。
【００２３】
なお、上記説明では、リモコン３を介してマイクロ波加熱装置１を動作させた場合を示したが、マイクロ波加熱装置１自体に設けられたスイッチ、例えば調理開始スイッチ（図示せず）を操作することにより動作させた場合も同様に「加熱開始Ｓ２」の信号がマイクロ波加熱装置１の無線器４を除く全無線器５、６に送信され、これを受信した無線器５、６および無線器４は、自己のタイマーをリセットし、加熱停止時間に通信を行ってもよいことは言うまでもない。
【００２４】
実施の形態２．
図４はこの発明の実施の形態２である無線通信システムの動作を示す図である。なお、無線通信システムの構成図、各機器の無線通信部のブロック図は図１、図２と同様である。
【００２５】
上記実施の形態１では、マイクロ波加熱装置１からマイクロ波加熱装置１の無線器４を除く全無線器５、６への「加熱開始Ｓ２」の通知は加熱開始の合図だけであり、その後の加熱、加熱休止は予め定められた時間に基づいて行われており、「加熱開始Ｓ２」の通知を受信した無線器５、６および無線器４は、前述の予め定められた加熱、加熱休止時間に基づいて通信動作時間、通信停止時間を設定したものを示したが、本実施の形態２では、「加熱開始Ｓ２」の信号送信時に、「加熱動作時間」と「加熱停止時間」の情報を含めて送信し、これを受信した全無線器は、実施の形態１と同様に、この情報に基づいてマイクロ波加熱装置１の停止時間に合わせて通信を行う。
【００２６】
図４は「加熱開始Ｓ２」の信号送信時に、加熱動作時間が４秒間、加熱休止時間が３秒間の情報を送信し、全無線器が３秒間のマイクロ波加熱装置１の停止時間に合わせて通信することを示したものである。
よって、マイクロ波加熱装置１では、調理の種類・方法にしたがって、柔軟に加熱の動作時間と停止時間の間隔を変更することができる。
【００２７】
実施の形態３．
図５はこの発明の実施の形態３である無線通信システムの動作を示す図である。なお、無線通信システムの構成図、各機器の無線通信部のブロック図は図１、図２と同様である。
【００２８】
上記実施の形態２では、一旦、加熱を開始すると、定められた加熱動作時間と停止時間が運用され、途中でこれらの時間をを変更しないものを示したが、本実施の形態３では、毎回、停止時間の最後に、次回の加熱動作時間と停止時間を定め、「次の加熱動作時間長Ｓ３」としてマイクロ波加熱装置１からマイクロ波加熱装置１の無線器４を除く全無線器５、６に送信するものである。「次の加熱動作時間長Ｓ３」の信号を受信する無線器５、６および無線器４は、その毎に、自己の通信用のタイマをリセットし、マイクロ波加熱装置１の加熱中は通信動作を停止し、加熱休止中に各無線器４、５、６は各無線器毎にランダムな時間間隔（数ｍｓ程度）を空けてからデータ送受信を行うものである。
【００２９】
図５は「加熱開始Ｓ２」の信号送信時に、加熱動作時間が３秒間、加熱休止時間が４秒間の情報を送信し、加熱停止時間の最後に「次の加熱動作時間長Ｓ３」として加熱動作時間が４秒間、加熱休止時間が３秒間の情報を送信し、その後も加熱停止時間の最後の度に加熱動作時間、休止時間の情報を送信することを示したものである。
よって、動作時間と停止時間を可変長にすることが可能になり、マイクロ波加熱装置１における、より柔軟な加熱方式が可能となる。
【００３０】
実施の形態４．
上記実施の形態１〜３では、加熱停止時間には加熱を完全に停止したものを説明したが、本実施の形態４では全無線器が通信可能なマイクロ波の出力レベルで加熱を行うことについて説明する。
図６はこの発明の実施の形態４である無線通信システムの動作の状態遷移図を示す。なお、無線通信システムの構成図、各機器の無線通信部のブロック図は図１、図２と同様である。
【００３１】
まず、実施の形態１〜３では、加熱動作時間と加熱停止時間が交互に発生し、「加熱開始Ｓ２」のデータを受信したマイクロ波加熱装置１以外の全無線器５、６は、加熱停止時間毎にデータを送信し、送信すべきデータがない場合には、「通信性能検定用」データを送信する。一方、マイクロ波加熱装置１は、常に全無線器のデータを受信し、受信したデータ数、すなわち、存在する全無線器の数を管理する。
【００３２】
そこで、本実施の形態４では、マイクロ波加熱装置１は、初回の加熱停止時間には完全に加熱を停止し、全無線器のデータ数をカウントする。このとき、全無線器のデータ数が０である場合は、周囲に無線器が存在しないため、以降、加熱停止が不要となり、マイクロ波加熱装置１は、マイクロ波加熱装置１のタイマで設定された加熱動作時間に最大出力で加熱を行う。
【００３３】
一方、全無線器のデータ数がカウントされ、無線器の存在を確認した場合は、無線器の個数を記憶する。そして、マイクロ波加熱装置は、２回目の加熱停止時間には、加熱を完全に停止せず、低電力の加熱運転を行う。例えば、通常の加熱動作の最大出力が４００Ｗとすれば、１００Ｗの出力で加熱する。さらに、この低出力加熱時間においても上述と同様に、マイクロ波加熱装置１は、全無線器のデータを受信し、加熱動作開始後に、受信したデータ数を初回に受信した全無線器のデータ数と比較する。その結果、受信データ数が減少していた場合は、低電力の加熱運転により、データ送受信できない無線器が生じたことになるため、１つ前の出力に戻し、加熱動作を行う。一方、受信データ数が減少しない場合は、３回目の加熱停止時間には、２回目よりも電力を上げて低電力の加熱運転を行う。以下同様に、加熱動作と停止または弱運転を繰り返していく。
【００３４】
また、加熱動作において、加熱動作と停止または弱運転の繰り返しを行わなくても、弱運転で加熱動作が適正に行われる場合には、この弱運転で加熱動作し、この場合は、全無線器へ「加熱停止」と同じ指示であるが、「タイマー停止」の指示を通知し、全無線器がいつでもデータ送受信を行うようにする。
【００３５】
次に、図６を用いて具体的に説明する。
まず、マイクロ波加熱装置１は、加熱室に入れた食品の加熱に必要な出力を求め、Ｊ６の例えば４００Ｗの加熱を設定する。そして、加熱を開始すると、「加熱開始Ｓ２」のデータをマイクロ波加熱装置１の無線器４の除く全無線器５、６へ送信し、Ｊ６の４００Ｗ加熱動作に遷移し（Ｔ１）、一定時間、例えば５秒間、加熱動作を行う。そして、この加熱動作終了後、Ｊ１の加熱停止に遷移し（Ｔ２）、全無線器４、５からのデータを待つ。各無線器４、５から送信されるデータを受信する。これにより、周囲に存在する全無線器の数が確認できる。この場合は２個となる。
【００３６】
その後、一定時間、例えば５秒経過後、Ｊ６の４００Ｗ加熱動作に遷移し（Ｔ３）、５秒間、加熱動作を行う。そして、この加熱動作終了後、弱運転のＪ２の１００Ｗ加熱動作に遷移し（Ｔ４）、全無線器からのデータ数を確認する。そこで、先に確認した無線器の数よりも減少した場合には、弱運転によりデータ送受信できない無線器が生じたことになるため、以降、マイクロ波加熱装置１は、「４００Ｗ加熱」と「加熱停止」の繰り返しにより、加熱動作を行う。
【００３７】
一方、無線器の数がＪ１の加熱停止時に確認した数と同じであれば、Ｊ２の１００Ｗ加熱動作を５秒間行い、その後、Ｊ６の４００Ｗ加熱動作に遷移し（Ｔ５）、４００Ｗ加熱動作で５秒間経過後、Ｊ３の２００Ｗ加熱動作に遷移し（Ｔ６）、２００Ｗ加熱動作で、全無線器からのデータ数を確認する。ここで、Ｊ１の加熱停止時確認した無線器の数よりも減少した場合には、以降、マイクロ波加熱装置１の動作は、「４００Ｗ加熱」と「１００Ｗ加熱」の繰り返しで加熱動作を行う。
【００３８】
一方、無線器の数がＪ１の加熱停止時に確認した数と同じであれば、Ｊ３の２００Ｗ加熱動作を５秒間行い、その後、Ｊ６の４００Ｗ加熱動作に遷移し（Ｔ７）、４００Ｗ加熱動作で５秒間経過後、Ｊ４の３００Ｗ加熱動作に遷移し（Ｔ８）、３００Ｗ加熱動作で、全無線器からのデータ数を確認する。以降、同様に行い、マイクロ波加熱装置１と全無線器が通信可能な弱運転の最大出力を決定する。
そこで、Ｊ５の４００Ｗ加熱動作とＪ６の４００Ｗ加熱動作間で通信できることが確認できた場合には、加熱中でも通信できるため、全無線器に「タイマー停止」の指示を通知し、タイマーに無関係に通信するようにする。
【００３９】
実施の形態５．
上記実施形態１〜３では、マイクロ波加熱装置１の加熱動作中は無線機間の通信を停止するものを示し、実施形態４では、無線機間で通信可能なマイクロ波の出力レベルに調整するものを示したが、マイクロ波加熱装置１の加熱動作時間中であっても、全無線器のうちマイクロ波加熱装置１から放射される電磁ノイズの小さな領域（場所）に存在する無線器同士は通信できる可能性がある。
そこで、本実施の形態５では、全無線器は、マイクロ波加熱装置１が加熱動作時間中であっても、通信の可能性が低いことを知りながら、敢えて加熱時間中にも通信を行い、もし、通信が成功しなかった場合には、マイクロ波加熱装置１の停止時間を利用して通信を行うものを示す。
【００４０】
図７はこの発明の実施の形態５である無線通信システムの動作を示す図である。なお、無線通信システムの構成図、各機器の無線通信部のブロック図は図１、図２と同様である。なお、換気扇は図示していないが、空調機等と同様に、換気扇制御用マイクロプロセッサおよび無線器を備え、この無線器はアンテナ、無線通信ＬＳＩを備えている。
【００４１】
次に動作について図７に基づいて説明する。
まず、マイクロ波加熱装置１の加熱動作中にリモコン３が、空調機２へ信号を送信し（Ｓ１１）、リモコン３は空調機２からの受信応答を受けた（Ｓ１２）ことにより通信が成功したことを検知する。次に、リモコン３が換気扇へ信号を送信し、換気扇は受信した（Ｓ１３）が、リモコン３が受信応答を受け取れなかった（Ｓ１４）ことにより、通信失敗と判断する。但し、リモコン３はマイクロ波加熱装置１の加熱動作中に通信しているため、換気扇への通信は、通常時の通信失敗とは区別し、マイクロ波加熱装置１の停止時間中に再度通信を行う。
【００４２】
なお、上記説明では、リモコン３と換気扇との通信について説明したが、マイクロ波加熱装置１といずれか１つの機器（無線器）との１対１の通信についても同様に行われる。
以上のように、マイクロ波加熱装置１の加熱動作中でも通信できる無線器同士は、加熱停止中と同様に加熱動作中も通信することにより、加熱停止中の通信はマイクロ波加熱装置１の停止が必須な無線機器同士の通信に限定でき、トラヒックの低減に寄与できる。
【００４３】
【発明の効果】
この発明は、以上説明したように構成されているので、以下に示すような効果を奏する。
【００４４】
マイクロ波を照射し、被照射物を加熱するマイクロ波加熱装置と、このマイクロ波加熱装置に設けられ、無線信号を送受信する第１の無線器と、この第１の無線器と無線信号を送受信する第２の無線器とを備え、マイクロ波加熱装置の加熱運転に、加熱動作時間と加熱停止時間を設け、加熱動作と停止を繰り返すとともに、第１の無線器は第２の無線器へマイクロ波加熱装置の加熱運転開始を送信し、第２の無線器はこの加熱運転開始に基づいて加熱動作時間中は通信を停止し、加熱停止時間中に通信を行うので、加熱中に発生するノイズを避けて、通信させることができ、加熱時に発生するノイズによる通信エラーをなくすことができる。
【００４５】
また、マイクロ波加熱装置の加熱運転に、予め定められた加熱動作時間および加熱停止時間に基づいて加熱動作と停止を行うとともに、第１の無線器は第２の無線器へマイクロ波加熱装置の加熱運転開始を送信し、第２の無線器はこの加熱運転開始に基づいて加熱動作時間中は通信を停止し、加熱停止時間中に通信を行うので、加熱中に発生するノイズを避けて、通信させることができ、加熱時に発生するノイズによる通信エラーをなくすことができる。
【００４６】
また、マイクロ波加熱装置の加熱運転に、加熱動作時間および加熱停止時間を定め、加熱動作と停止を行うとともに、第１の無線器は第２の無線器へマイクロ波加熱装置の加熱運転開始、加熱動作時間、加熱停止時間を送信し、第２の無線器はこの加熱運転開始、加熱動作時間、加熱停止時間に基づいて加熱動作時間中は通信を停止し、加熱停止時間中に通信を行うので、加熱時に加熱方法を自由に設定することができ、他の無線器において、加熱時に発生するノイズによる通信エラーをなくすことができる。
【００４７】
また、マイクロ波加熱装置の加熱運転に、加熱動作時間および加熱停止時間を毎回定め、加熱動作と停止を行うとともに、第１の無線器は第２の無線器へマイクロ波加熱装置の加熱運転開始、加熱動作時間、加熱停止時間を毎回送信し、第２の無線器はこの加熱運転開始、加熱動作時間、加熱停止時間に基づいて加熱動作時間中は通信を停止し、加熱停止時間中に通信を行うので、マイクロ波加熱装置の加熱制御方法を、細かく設定することができ、加熱時に発生するノイズによる通信エラーをなくすことができる。
【００４８】
また、第２の無線器を複数個備え、第２の無線器は第１の無線器または第２の無線器間同士と通信するので、複数の無線器を用いた場合に、加熱中に発生するノイズを避けて通信することができる。
【００４９】
また、マイクロ波加熱装置の加熱運転に、加熱動作時間および加熱停止時間を設け、加熱動作と停止を行うとともに、加熱停止時間でもマイクロ波加熱装置によるマイクロ波の出力を第１の無線器および複数の第２の無線器が通信可能なレベルに可変して加熱動作を行うので、最適な加熱パワーで加熱することができ、加熱時に発生するノイズによる通信エラーをなくすことができる。
【００５０】
また、マイクロ波加熱装置の加熱運転に、加熱動作時間および加熱停止時間を設け、加熱動作と停止を行うとともに、加熱動作時間に第１の無線器および１つまたは複数の第２の無線器が通信を行い、通信不可の場合は、加熱停止時間中に再度通信を行うので、加熱停止中の通信は加熱の停止が必須な無線器同士の通信に限定でき、トラヒックの低減に寄与できる。
【図面の簡単な説明】
【図１】  この発明の実施の形態１を示す無線通信システムの構成図である。
【図２】  この発明の実施の形態１を示す無線通信システムにおける各機器の無線通信部のブロック図である。
【図３】  この発明の実施の形態１を示す無線通信システムの動作を示す図である。
【図４】  この発明の実施の形態２における無線通信システムの動作を示す図である。
【図５】  この発明の実施の形態３における無線通信システムの動作を示す図である。
【図６】  この発明の実施の形態４における無線通信システムの動作の状態遷移図を示す。
【図７】  この発明の実施の形態５における無線通信システムの動作を示す図である。
【図８】  従来の無線通信システムの通信方式を示す図である。
【符号の説明】
１  マイクロ波加熱装置、  ２  空調機、  ３  リモコン、  ４  無線器、  ５  無線器、  ６  無線器、  ７  無線通信ＬＳＩ、  ８  アンテナ、  ９  マイクロプロセッサ、  １０  無線通信ＬＳＩ、  １１  アンテナ、  １２  マイクロプロセッサ、  １３  無線通信ＬＳＩ、  １４  アンテナ、  １５  マイクロプロセッサ。
【図１】
0003785915.tif 000002
【図２】
0003785915.tif 000003
【図３】
0003785915.tif 000004
【図４】
0003785915.tif 000005
【図５】
0003785915.tif 000006
【図６】
0003785915.tif 000007
【図７】
0003785915.tif 000008
【図８】
0003785915.tif 000009